(57)【要約】【課題】  制振作用を有しかつ構造性を高水準で維持したビリヤードのキューの制振構造を提供する。【解決手段】  ボディー１１０は、自由端１１６とバットエンド１１７を有し、カバー１２０はボディー１１０を収納する。ボディー１１０は環状面に凹状層１１５を有することでカバー１２０との間に環状空間を形成する。振動吸収材料は環状空間の中に配置される。振動吸収材料はシャフトの自由端１１６がボールを突いた時生じた振動を減少させる。振動吸収材料はボディー１１０の凹状層１１５を被覆するシートである。カバー１２０はボディー１１０のバットエンド１１７へスライドして振動吸収材料を固定する。基本的に振動吸収材料、ボディー１１０とカバー１２０は接着剤または周知技術によりまとまって固定される。【選択図】    図１
0003113641.tif 000002
【実用新案登録請求の範囲】
【請求項１】
自由端を有するシャフトを含み、シャフトとビリヤードのキューの区間部位が結合して軸方向に対し剛性を呈する全体を組成し、かつシャフトは木材よりも密度が高い振動吸収材料を有し、振動吸収材料はシャフトの自由端によりボールを突いた時シャフトの振動を減少させることが可能であることを特徴とするビリヤードのキューの制振構造。
【請求項２】
シャフトは、分離可能な方法でビリヤードのキューの区間部位と結合することが可能であることを特徴とする請求項１に記載のビリヤードのキューの制振構造。
【請求項３】
振動吸収材料は、複合材料であることを特徴とする請求項１に記載のビリヤードのキューの制振構造。
【請求項４】
複合材料は、繊維を有することを特徴とする請求項３に記載のビリヤードのキューの制振構造。
【請求項５】
複合材料は、多孔性の構造を有することを特徴とする請求項３に記載のビリヤードのキューの制振構造。
【請求項６】
複合材料は圧電材料を有し、圧電材料は繊維を有し、繊維の伸張方向はシャフトの長軸方向に沿うことを特徴とする請求項３に記載のビリヤードのキューの制振構造。
【請求項７】
振動吸収材料は、シャフトの環状区域を形成することを特徴とする請求項１に記載のビリヤードのキューの制振構造。
【請求項８】
振動吸収材料は、シャフトの中心段部を形成することを特徴とする請求項１に記載のビリヤードのキューの制振構造。
【請求項９】
振動吸収材料は、シャフトのバットエンドに位置付けられることを特徴とする請求項１に記載のビリヤードのキューの制振構造。
【請求項１０】
振動吸収材料は、シャフトの中間段部に位置付けられることを特徴とする請求項１に記載のビリヤードのキューの制振構造。
【請求項１１】
自由端を有するシャフトを含み、そのシャフトとビリヤードのキューの区間部位が結合して軸方向に対し剛性を呈する全体を組成し、かつシャフトは圧電材料を有することでシャフトの自由端によりボールを突いた時シャフトの振動を減少させることを特徴とするビリヤードのキューの制振構造。
【請求項１２】
圧電材料は繊維を有し、繊維の伸張方向は特定方向に沿うことを特徴とする請求項１１に記載のビリヤードのキューの制振構造。
【請求項１３】
圧電材料の繊維の伸張方向はシャフトの長軸方向に沿うことを特徴とする請求項１２に記載のビリヤードのキューの制振構造。
【請求項１４】
軸方向に対し剛性を呈するビリヤードのキューは木材よりも密度が高い振動吸収材料を有し、振動吸収材料はシャフトの自由端によりボールを突いた時シャフトの振動を減少させることが可能であることを特徴とするビリヤードの振動軽減キュー。
【請求項１５】
振動吸収材料は、複合材料を有することを特徴とする請求項１４に記載のビリヤードの振動軽減キュー。
【請求項１６】
複合材料は、繊維を有することを特徴とする請求項１５に記載のビリヤードの振動軽減キュー。
【請求項１７】
複合材料は、多孔性の構造を有することを特徴とする請求項１５に記載のビリヤードの振動軽減キュー。
【請求項１８】
複合材料は圧電材料を有し、圧電材料は繊維を有し、繊維の伸張方向はシャフトの長軸方向に沿うことを特徴とする請求項１５に記載のビリヤードの振動軽減キュー。
【請求項１９】
振動吸収材料は、シャフトの環状区域を形成することを特徴とする請求項１４に記載のビリヤードの振動軽減キュー。
【請求項２０】
振動吸収材料は、シャフトの中心段部を形成することを特徴とする請求項１４に記載のビリヤードの振動軽減キュー。
【請求項２１】
軸方向に対し剛性を呈するビリヤードのキューは圧電材料を有し、圧電材料はシャフトの自由端によりボールを突いた時シャフトの振動を減少させることが可能であることを特徴とするビリヤードの振動軽減キュー。
【請求項２２】
圧電材料は繊維を有し、繊維の伸張方向は特定方向に沿うことを特徴とする請求項２１に記載のビリヤードの振動軽減キュー。
【請求項２３】
圧電材料の繊維の伸張方向はシャフトの長軸方向に沿うことを特徴とする請求項２２に記載のビリヤードの振動軽減キュー。
【考案の詳細な説明】
【技術分野】
【０００１】
本考案は、ビリヤードのキューに関し、特にビリヤードのキューの制振構造に関するものである。
【背景技術】
【０００２】
ビリヤードに使用されるキューは効率的にボールに運動量（momentum）を伝送するためのものである。ビリヤードのキューは木製ものが一般的である。その材質の特性がプレイヤーの手に伝わる衝撃力の状態に影響する。（プレイヤーの手に伝わる衝撃力の状態に、キューの材質の特性が影響する）
【０００３】
プレイヤーが特殊な技法により回旋ボール（spin  or  english）を突く場合、キューの自由端はボールの質量中心からずれる位置を突かなければならない。すると、キューは軸方向に対して垂直の力を受ける。特にキューのシャフト（shaft）はバット（butt）よりも薄くて可撓性（flexibility）があり、かつ振動を発生する。この振動はボールの前進経路に影響する。したがって、プレイヤーは回旋ボールを撃出する時この現象を修正しなければならない。このため、プレイヤーに所期の回旋ボールを撃出させるために、キューに振動の発生を減少させることが好ましい。
【考案の開示】
【考案が解決しようとする課題】
【０００４】
しかしながらプレイヤーはボールを突く時、キューからボールに十分な運動量を伝送するよう望んでいるため、比較的硬いキューが好まれる。またプレイヤーはキューの重量分布（weight  distribution）と手に力が伝わる状態が一般の木製のものと同じでることを望んでいる。キューには木材以外の材料で作られたものもあるが、この種のキューは木製のキューが持つある種の特性に乏しく、かつキューに大きい振動をもたらすことがあり、かつボールを突く時ボールの進行経路を変えることがある。またキューに軽量、無構造（non-structural）の材料（例えば棉）を使用することで制振効果を奏することが可能であるが、キューの構造性を低下させ、プレイヤーがボールを突いた時の手応えに影響する。
【０００５】
したがって本考案の目的は、キューの構造性を維持し制振効果を奏することが可能なビリヤードのキューの制振構造を提供することにある。
【課題を解決するための手段】
【０００６】
上述の目的を達成するために本考案の請求項に記載のビリヤードのキューの制振構造は、軸方向全体が高剛性のシャフトを有し、そのシャフトは振動吸収材料を備え、かつ木材よりも密度が高い。この振動吸収材料は圧電（piezoelectric）材料でも可能である。この時、その密度を判断する必要がない。振動吸収材料はシャフトが玉を突いた時生じた振動を減少させることが可能である。このため、振動吸収材料は制振効果を奏するだけでなく、キューの構造性に対する影響を比較的少なくすることが可能で、キューによる運動量の伝送という性質への影響が少なくなる。
【０００７】
シャフトは分離可能な方法によりキューのほかの区間部位に収納することが可能である。振動吸収材料は制振構造に使用し、かつ繊維またはある種類の多孔（cellular）構造を含む複合材料を採用することが可能である。繊維の伸張方向は特定方向（例えばシャフトに平行する長軸方向）に沿っても可能である。圧電材料は繊維配列のあるなしに関わらず振動吸収材料として使用することが可能である。また振動吸収材料はシャフトの太い端部（butt  end）またはシャフトの中段部に位置することが可能である。また、振動吸収材料はシャフトの環状区域または中心部位に配置することが可能である。
【０００８】
また、前述の振動吸収材料は制振効果を有するキューに使用することが可能である。かつ振動吸収材料は必ずしもシャフトの中に使用するとは限らない。
【考案を実施するための最良の形態】
【０００９】
以下、本考案の実施例を図面に基づいて説明する。
本考案の第一実施例によるビリヤードのキューの制振構造は、図１に示すように、次のものを含む。
ボディー１１０は、自由端１１６とバットエンド１１７を有する。カバー１２０はボディー１１０を収納する。カバー１２０がボディー１１０を覆っている場合、図２に示すように、組成物は平滑な表面２４０を有する。ボディー１１０は環状面に凹状層１１５を有することでカバー１２０との間に環状空間を形成する。振動吸収材料２３０は環状空間の中に配置される。振動吸収材料２３０はシャフトの自由端１１６がボールを突いた時生じた振動を減少させることが可能である。
【００１０】
ボディー１１０は木製である。また、ボディー中のほかの材料は本考案の請求範囲に含まれている。同様に、カバー１２０は多様な材料から製作されるもの、例えばエポキシ（epoxy）、フェノール類（phenolic）に含浸（impregnate）しているものまたはほかの複合材料の木材から製作されるものであり、かつその湿気度または他の状況が変わらないように外形が精細に製作される。
【００１１】
振動吸収材料２３０はボディー１１０の凹状層１１５を被覆するシート（sheet）である。カバー１２０はボディー１１０のバットエンド１１７へスライドして振動吸収材料２３０を固定することが可能である。基本的に振動吸収材料２３０、ボディー１１０とカバー１２０は接着剤または周知技術によりまとまって固定される、図３に示すのは本発明の第二実施例である。そのうちのカバー３２０とボディー３１０は別々にねじ山３３０を有することでボディー３１０上にカバー３２０にボディー３１０をねじ込むことが可能である。
【００１２】
制振構造は接合ユニット（joint）を有することで分離可能な方法でキューのバットまたは他の区間部位に連接することが可能である。例えば、図３に示すようにシャフトはバットエンド３１７の中に埋設される挿入ユニット３６０を有することで分離可能な方法でキューのバット３５０のピン３５５と結合することが可能である。組成されたシャフトとバットにより全体が軸方向に対する剛性体として形成される。かつ軸方向３４０は極めて小さい可撓性がある。また、ボールを突く場合、制振構造は軸方向に対する剛性によりキューに十分な運動量を提供させてボールへ軸方向に沿って伝送させるように維持される。また、振動軽減シャフトをバットに固定して分解不可能なキューを製作することが可能である。
【００１３】
異なる材料、例えばプラスチックまたは異なる充填物を有する複合材料を本考案の振動吸収材料として採用することが可能である。例えば、セラミックス（例えばアメリカ合衆国特許第5,827,797号により掲示される）を重合体基物質などのようなマトリックス（matrix）中に埋設して受動性の圧電材料を振動吸収材料として形成することが可能である。また、圧電繊維（アメリカ合衆国特許第5,869,189号と関連出願により掲示される）をマトリックスに加えて組成された振動吸収材料は振動エネルギーを収集することで材料において特定方向の振動吸収機能を進めることが可能である（例えばアメリカ合衆国特許第6,620,287号により掲示される）。
【００１４】
振動吸収材料に使用される繊維の伸張方向が一致する（即ち繊維はある特定方向に照準を合わせる）をことで材料の振動吸収は方向性を有する。本考案では、キューの一部分の振動吸収材料の細い糸はキューの長軸方向３４０に平行する。このため、繊維の伸張方向はキューの直径方向に対する剛性を高め、振動を減作させることが可能である。
【００１５】
繊維または充填物に使用される多孔性の構造（蜂の巣構造）を有する多種類の複合材料などは圧電材料を除いて振動吸収材料に適用する。
【００１６】
また、ある振動吸収材料、例えば、前述の圧電材料は無構造の材料、例えば発泡材料、棉またはキューのボディー（木材）より密度が低い材料よりも良好な振動吸収性質を有する。したがって振動吸収材料は大量の体積を占めることなく振動を減少させるだけでなく、プレイヤーの所期の運動量の伝送という特性に影響することはない。
【００１７】
図２と図３に示すように、振動吸収材料はシャフトのバットエンドに位置付けられ、かつボールを突く自由端から遠く離れる。このため、ボールの重心からずれる位置を突く場合、シャフトの湾曲の変化を減少させるという長所がある。例えば、木材（前述の圧電材料く）よりも密度が大きい振動吸収材料がキューの金環（ferrule）に近い位置に配置されている場合、シャフトの機械性質は逆にプレイヤーに影響を与える。これはシャフトの機械性質と一般の木質シャフトの機械性質とが異なるからである。また、シャフトのバットエンドの近くまたはシャフトの中間部位に振動吸収材料を設置する場合、制動効果は現れるが、シャフトの湾曲の特性を変えることはない。
【００１８】
図１から図３に示すように、振動吸収材料は環状を呈し、かつキューのシャフト中に埋設されるが、実際に振動吸収材料は必ずしも環状とは限らない。振動吸収材料はどんな形態を呈してもボールを突く時の制振機能を提供することが可能である。例えば、一つまたは数個の中心部分（cored  sections）から振動吸収材料をキューのシャフトの軸方向に沿って配列するように組成することが可能である。
【００１９】
本考案のそれぞれの実施例により述べられる振動吸収材料は取り外しができないキューまたは多数の段部から構成されるキュー以外のキューに適用する。また、キューにおけるシャフトに接するほかの部分に振動吸収材料を配置することで制振効果を高めることが可能である。例えば、キューのハンドル（handle）に振動吸収材料の中心段部を配置することで頻発する振動を防止することが可能である。
【００２０】
図４に示すのは本考案の第三実施例による制振構造の断面図である。制振構造４００はシャフト４１０と、シャフトによりボールを突いた時の振動を吸収する振動吸収材料４３０を含む。振動吸収材料４３０はシャフトを被覆することで環状区域を形成する。カバー４２０は振動吸収材料４３０とシャフト４１０を被覆する。制振構造は更にユニバーサルアダプタ（universal  adapter）４４０と挿入ユニット（insert）４４７を有するユニバーサルシャフト接合具（universal  shaft  fitting）を含む。ユニバーサルアダプタ（universal  adapter）４４０はねじ山によりシャフト４１０のバッドエンド４１５と結合する延伸部４４５を有する。挿入ユニット４４７は内部にねじ山を有することでキューの一つの段部におけるボルトと分離可能な方法で結合することが可能である。制振構造とその段部が結合して軸方向を呈する剛体を組成する。
【００２１】
上述は本考案の好ましい実施例に過ぎないため、本考案の説明書と請求項に基づいて同等の方法変化をすることは本考案の請求範囲に含まれるべきである。
【図面の簡単な説明】
【００２２】
【図１】本考案の第一実施例によるビリヤードのキューの制振構造を示す分解時の断面図である。
【図２】本考案の第一実施例によるビリヤードのキューの制振構造を示す組立時の断面図である。
【図３】本考案の第二実施例によるビリヤードのキューの制振構造を示す組立時の断面図である。
【図４】本考案の第三実施例によるビリヤードのキューの制振構造を示す組立時の断面図である。
【符号の説明】
【００２３】
１１０  ボディー、１１５  凹状層、１１６  自由端、１１７  バットエンド、１２０  カバー、２３０  振動吸収材料、２３０  振動吸収材料、２４０  表面、３１０  ボディー、３１７  バットエンド、３２０  カバー、３３０  ねじ山、３４０  軸方向、３５０  バット、３５５  ピン、３６０  挿入ユニット、４００  制振構造、４１０  シャフト、４１５  バットエンド、４２０  カバー、４３０  振動吸収材料、４４０  ユニバーサルアダプタ、４４５  延伸部、４４７  挿入ユニット
【図１】
0003113641.tif 000003
【図２】
0003113641.tif 000004
【図３】
0003113641.tif 000005
【図４】
0003113641.tif 000006